(57)【要約】【課題】パーソナルタグやデータタグの各電力残量を管理して、ユーザの手間や負担を低減させ、安定した情報収集と確実な生活支援を行う。【解決手段】管理対象物に取り付けられたデータタグ５と、ユーザに携帯されたるパーソナルタグ４と、これらと相互に通信可能な複数台の観察機３と、管理対象物の情報入力及び管理結果の表示を行う情報端末装置１と、管理対象物の管理を行うサーバ２とからなる。データタグ５は、自己の電力残量を管理する第１の電力残量管理手段を備え、パーソナルタグ４は、自己の電力残量とデータタグ５の電力残量とをともに管理する第２の電力残量管理手段を備える。サーバは、観察機３からパーソナルタグ４及びデータタグ５の電力残量情報を取得・処理して、その電力残量管理結果を情報端末装置１へ発信する第３の電力残量管理手段を備える。【選択図】  図１
2004287786.tif 000002
【特許請求の範囲】
【請求項１】
管理対象物に取り付けられて、この管理対象物の情報を取得・保持するデータタグと、
ユーザに携帯されて、このユーザの生活情報を取得・保持するパーソナルタグと、
データタグ及びパーソナルタグと相互に通信可能な複数台の観察機と、
管理対象物の情報入力を行うとともに、管理結果を表示する情報端末装置と、前記観察機及び情報端末装置に接続されて、入力された管理対象物の管理を行うサーバとからなる生活情報管理システムであって、
データタグは、自己の電力残量を管理する第１の電力残量管理手段を備えて、この電力残量情報をパーソナルタグに通信可能とされ、
パーソナルタグは、自己の電力残量と前記データタグの電力残量とをともに管理する第２の電力残量管理手段を備えて、これらの電力残量情報を観察機に通信可能とされ、
観察機は、パーソナルタグから取得したパーソナルタグ及びデータタグの電力残量情報をサーバに通信可能とされ、
サーバは、観察機からの各電力残量情報を取得・処理して、その電力残量管理結果を前記情報端末装置へ発信する第３の電力残量管理手段を備えたことを特徴とする生活情報管理システム。
【請求項２】
パーソナルタグ及びサーバの各電力残量管理手段には、パーソナルタグ及びデータタグの電力残量情報を処理するデータシートがそれぞれ備えられたことを特徴とする請求項１に記載の生活情報管理システム。
【請求項３】
情報端末装置は、ユーザへの情報提示を行う表示部を備えて、サーバから受信したパーソナルタグ及びデータタグの電力残量情報管理結果を表示部に表示可能とされたことを特徴とする請求項１又は２に記載の生活情報管理システム。
【請求項４】
管理対象物に取り付けられて、この管理対象物の情報を取得・保持するデータタグと、ユーザに携帯されて、このユーザの生活情報を取得・保持するパーソナルタグと、データタグ及びパーソナルタグと相互に通信可能な複数台の観察機と、管理対象物の情報入力を行うとともに、管理結果を表示する情報端末装置と、前記観察機及び情報端末装置に接続されて、入力された管理対象物の管理を行うサーバとを用いて管理対象物の管理をする生活情報管理方法であって、
パーソナルタグ又は観察機からの指示に基づき、データタグが自己の電力残量を管理して、その電力残量情報をパーソナルタグ又は観察機に送る段階と、
データタグから受け取った電力残量情報又は観察機からの指示に基づき、パーソナルタグがデータタグ及び自己の電力残量を管理して、その電力残量情報をサーバに送る段階と、
受け取ったパーソナルタグ及びデータタグの電力残量情報に基づいて、サーバがパーソナルタグ及びデータタグそれぞれの予想電力残量を演算により求めて判断する段階と、
サーバの判断結果をユーザに通知する段階とを含むことを特徴とする生活情報管理方法。
【請求項５】
管理対象物に取り付けられて、この管理対象物の情報を取得・保持するデータタグと、ユーザに携帯されて、このユーザの生活情報を取得・保持するパーソナルタグと、データタグ及びパーソナルタグと相互に通信可能な複数台の観察機と、管理対象物の情報入力を行うとともに、管理結果を表示する情報端末装置と、前記観察機及び情報端末装置に接続されて、入力された管理対象物の管理を行うサーバとを用いて管理対象物を管理するコンピュータで読み取り可能な生活情報管理プログラムであって、
パーソナルタグ又は観察機からの指示に基づき、データタグが自己の電力残量を管理して、その電力残量情報をパーソナルタグに送信するステップと、
データタグから受信した電力残量情報又は観察機からの指示に基づき、パーソナルタグがデータタグ及び自己の電力残量を管理して、その電力残量情報をサーバに送信するステップと、
受信したパーソナルタグ又はデータタグの電力残量情報に基づいて、サーバがパーソナルタグ又はデータタグそれぞれの予想電力残量を演算するステップと、演算により求めたパーソナルタグ又はデータタグの予想電力残量情報をユーザ端末に送信するステップと含むことを特徴とする生活情報管理プログラム。
【請求項６】
請求項５に記載の生活情報管理プログラムを記録した、コンピュータにより読み取り可能な記録媒体。
【発明の詳細な説明】
【０００１】
【発明の属する技術分野】
この発明は、生活環境内における対象物や生活者に関する情報を収集・加工し、生活情報として管理する生活情報管理システム、生活情報管理方法、生活情報管理プログラム及び生活情報管理プログラムを記録した記録媒体に関する。
【０００２】
【従来の技術】
人間の生活は、多くの物に囲まれた状態で営まれているが、一つ一つの行動は、それらのうちの特定の物とだけ関連していると考えられる。したがって、生活情報を適切に管理すれば、管理対象物を探す場合などに無駄な動作がなくなり効率よく行動することができる。また、人間の行動に関する情報を収集することも容易となる。ここで、生活情報とは、例えば管理対象物の保管場所や動作状況に関する情報や、人間の居場所及びその行動に関する情報等をいう。
【０００３】
従来、このような生活情報を管理するものとして、特許文献１に記載の技術が提案されている。この特許文献１に開示されている行動判定装置は、ＣＣＤカメラや赤外線センサなどを利用して対象者の行動を検出し、さらにテレビの電源のＯＮ／ＯＦＦ動作や冷蔵庫の扉の開閉動作など、各種機器の動作を検出することができる。また、これらの機器の動作と、対象者の行動との組み合わせパターンが、この行動判定装置にあらかじめ記録されている。行動判定装置は、このような組み合わせパターンと、実際に検出された対象者の行動と機器の動作とを比較して、その対象者の行動判定を行う。そして、組み合わせパターンと検出結果とが一致しない場合には、警告が出力される構成となっている。
【０００４】
しかし、かかる行動判定装置は、固定された数種類のセンサによって対象者の行動データ（ユーザデータ）を取得する手段が一様ではなく、汎用性に欠けていた。
【０００５】
このような問題に対して、本出願人は、管理対象物に対する汎用性を備え、効率的に管理対象物を検出して、人間の生活環境における各種の情報を管理することのできる生活情報管理システムの開発を行った（特願２００２−０３２７２７）。
【０００６】
図９は、この生活情報管理システムの配置状態の一例を示す。生活情報管理システムは、例えば生活情報管理を行う対象者（ユーザ９）の住宅に設置される。ユーザ９は、自己の生活情報を取得させる装置（パーソナルタグ４）を所持し、管理対象とする物や場所にその情報を取得する装置（データタグ５）を取り付けておく。また、居室内には、ユーザ９の行動履歴を保存して、データ処理を行うサーバ２も設置される。さらに居室内には、パーソナルタグ４との通信を行ってユーザ９の生活情報を取得する通信装置（観察機３）が設置されている。そして、サーバ２はパーソナルタグ４と通信を行って、ユーザ９の行動履歴データを蓄積したり、パーソナルタグ４に指示を与えたりする。また、ユーザ９は、情報端末装置１に管理対象物の情報を入力して指示を出したり、その結果を情報端末装置１から受け取ったりする。
【０００７】
【特許文献１】
特開２００１−３４８６９号公報
【０００８】
【発明が解決しようとする課題】
前記生活情報管理システムにおいて、パーソナルタグ及びデータタグは、携帯を可能にしたり、あらゆる場所や物品に取り付け可能としたりするために、小型化・軽量化が図られている。このため、各タグの駆動には電池が用いられている。しかし、前記のシステムでは、各タグにおける電池の残量を確認することができないので、電池がなくなると通信できなくなり、その結果、ユーザの生活情報を記録することができなくなるおそれがある。
【０００９】
前記システムにおいては、定期的に各タグの電池を取り替えることで、このような電池切れによる問題の発生が防止されている。しかし、それぞれのタグの通信回数によって、消費電力量が当然に異なる。したがって、通信回数の少ないタグでは、バッテリーがまだ使用可能であるにもかかわらず電池を取り替えることになって電池に無駄が生じたり、通信回数の多いタグでは、電池を取り替えるときにはバッテリーを使い切ってしまっていて、ユーザの生活情報を正確に取得していたかどうかを確認できない事態となったりするおそれがある。また、このような定期的な電池の取り替え作業は、ユーザにとって手間であり、負担がかかる。
【００１０】
そこで、これらのタグをマイクロ波による誘導起電力によって動作させる仕様とすることで、バッテリーをなくし、電池の取り替え作業を不要とする方法も考えられる。しかし、この方法ではマイクロ波送信側のアンテナが大型になるため、ユーザはパーソナルタグを携帯することができず、有効ではない。
【００１１】
本発明は以上のような事情にかんがみてなされたものであり、パーソナルタグやデータタグの各電力残量を管理して、ユーザの手間や負担を低減させるとともに、生活情報等の取得漏れをなくして、安定した情報収集と確実な生活支援を行うことのできる生活情報管理システム、生活情報管理方法、生活情報管理プログラム、及び生活情報管理プログラムを記録した記録媒体を提供することを目的とする。
【００１２】
【課題を解決するための手段】
本発明の生活情報管理システムは、管理対象物に取り付けられて、この管理対象物の情報を取得・保持するデータタグと、ユーザに携帯されて、このユーザの生活情報を取得・保持するパーソナルタグと、データタグ及びパーソナルタグと相互に通信可能な複数台の観察機と、管理対象物の情報入力を行うとともに、管理結果を表示する情報端末装置と、前記観察機及び情報端末装置に接続されて、入力された管理対象物の管理を行うサーバとからなる生活情報管理システムであって、データタグは、自己の電力残量を管理する第１の電力残量管理手段を備えて、この電力残量情報をパーソナルタグに通信可能とされ、パーソナルタグは、自己の電力残量と前記データタグの電力残量とをともに管理する第２の電力残量管理手段を備えて、これらの電力残量情報を観察機に通信可能とされ、観察機は、パーソナルタグから取得したパーソナルタグ及びデータタグの電力残量情報をサーバに通信可能とされ、サーバは、観察機からの各電力残量情報を取得・処理して、その電力残量管理結果を前記情報端末装置へ発信する第３の電力残量管理手段を備えたことを特徴としている。
【００１３】
また、本発明の生活情報管理方法は、管理対象物に取り付けられて、この管理対象物の情報を取得・保持するデータタグと、ユーザに携帯されて、このユーザの生活情報を取得・保持するパーソナルタグと、データタグ及びパーソナルタグと相互に通信可能な複数台の観察機と、管理対象物の情報入力を行うとともに、管理結果を表示する情報端末装置と、前記観察機及び情報端末装置に接続されて、入力された管理対象物の管理を行うサーバとを用いて管理対象物の管理をする生活情報管理方法であって、パーソナルタグ又は観察機からの指示に基づき、データタグが自己の電力残量を管理して、その電力残量情報をパーソナルタグ又は観察機に送る段階と、データタグから受け取った電力残量情報又は観察機からの指示に基づき、パーソナルタグがデータタグ及び自己の電力残量を管理して、その電力残量情報をサーバに送る段階と、受け取ったパーソナルタグ及びデータタグの電力残量情報に基づいて、サーバがパーソナルタグ及びデータタグそれぞれの予想電力残量を演算により求めて判断する段階と、サーバの判断結果をユーザに通知する段階とを含むことを特徴としている。
【００１４】
このような特徴を有する本発明によれば、生活情報管理装置は、情報端末装置からの管理対象物の指示に基づき、管理対象物に取り付けられたデータタグとの通信を各観察機に対して要求し、この要求に対して、管理対象物に取り付けられたデータタグとの通信結果を各観察機から受信すると、その受信した通信結果に基づき、データタグとの通信に成功した観察機の位置及び方向に基づいて管理対象物の位置が演算等により求められる。そして、その求めた管理対象物の位置情報が情報端末装置に送信される。情報端末装置では、受信した位置情報を、例えば居室の平面図に重ねて表示する。さらに、本発明では、かかる観察機との通信時に、管理対象物の情報とともに各データタグ及びパーソナルタグの通信動作情報等を把握して、それぞれの消費電力を算出して、データタグ及びパーソナルタグにおける電力残量が管理される。
【００１５】
この場合、前記のパーソナルタグ及びサーバの各電力残量管理手段は、これらパーソナルタグ及びデータタグのそれぞれの電力残量情報を処理するデータシートを備えた構成とされる。これにより、データタグやパーソナルタグの情報をデータシート上で効果的に処理して、各電力残量情報を算出することができる。
【００１６】
また、前記の情報端末装置は、ユーザへの情報提示を行う表示部を備えて、サーバから受信したパーソナルタグ及びデータタグの電力残量情報管理結果を表示部に表示可能な構成とされている。これにより、ユーザはパーソナルタグ及びデータタグの電力残量を把握し、必要に応じて電池の取替え作業を効率よく行うことができる。
【００１７】
また、本発明の生活情報管理方法は、この方法を実行するためのプログラムとして実現することができる。
【００１８】
すなわち、本発明の生活情報管理プログラムは、管理対象物に取り付けられて、この管理対象物の情報を取得・保持するデータタグと、ユーザに携帯されて、このユーザの生活情報を取得・保持するパーソナルタグと、データタグ及びパーソナルタグと相互に通信可能な複数台の観察機と、管理対象物の情報入力を行うとともに、管理結果を表示する情報端末装置と、前記観察機及び情報端末装置に接続されて、入力された管理対象物の管理を行うサーバとを用いて管理対象物を管理するコンピュータで読み取り可能な生活情報管理プログラムであって、パーソナルタグ又は観察機からの指示に基づき、データタグが自己の電力残量を管理して、その電力残量情報をパーソナルタグに送信するステップと、データタグから受信した電力残量情報又は観察機からの指示に基づき、パーソナルタグがデータタグ及び自己の電力残量を管理して、その電力残量情報をサーバに送信するステップと、受信したパーソナルタグ又はデータタグの電力残量情報に基づいて、サーバがパーソナルタグ又はデータタグそれぞれの予想電力残量を演算するステップと、演算により求めたパーソナルタグ又はデータタグの予想電力残量情報をユーザ端末に送信するステップと含むことを特徴としている。
【００１９】
なお、この生活情報管理プログラムは、これを記録したコンピュータにより読み取り可能な記録媒体として提供することができる。
【００２０】
【発明の実施の形態】
以下、本発明の実施の形態について、図面を参照しつつ説明する。
【００２１】
図１及び図２は本実施の形態の生活情報管理システムを示し、図１はシステムの全体構成を示すブロック図、図２はシステムにおける各部の構成例を示す概念図である。
【００２２】
この生活情報管理システムは、基本構成として、ユーザ９が使用するパソコンや携帯電話機、ＰＤＡ等の情報端末装置１、サーバ２、複数台の観察機３、複数台のパーソナルタグ４、複数台のデータタグ５により構成されている。なお、これらの観察機３、パーソナルタグ４、及びデータタグ５の台数は定められたものではない。
【００２３】
情報端末装置１は、ＬＡＮインターフェース（以下、「ＬＡＮ＿ＩＦ」と略記する。）１１、メモリ１２、ＣＰＵ１３、及びモニタ１４を備えており、ユーザ９からの情報入力を受け付けたり、ユーザ９に情報を提示したりするために用いられる。
【００２４】
サーバ２は、ＬＡＮ＿ＩＦ２１、メモリ２２、及びＣＰＵ２３を備えており、情報端末装置１と観察機３との間で通信を行い、データの記録、処理等を行うものである。サーバ２が備えるメモリ２２上には、ユーザ９の行動履歴や、その履歴情報を用いて生活支援を行うプログラムに加え、パーソナルタグ４及びデータタグ５の電力残量を管理するためのデータと、その管理プログラムが記録されている。
【００２５】
観察機３は、ＬＡＮ＿ＩＦ３１、メモリ３２、ＣＰＵ３３、及び赤外線通信装置３５を備えている。
【００２６】
また、パーソナルタグ４は、電池４１、メモリ４２、ＣＰＵ４３、及び赤外線通信装置４４を備えている。パーソナルタグ４が備えるメモリ４１上には、通信のためのプログラムに加え、自己の電力残量及び各データタグ５の電力残量を管理するためのデータと、その管理プログラムが記録されている。
【００２７】
データタグ５は、電池５１、メモリ５１、ＣＰＵ５２、及び赤外線通信装置５４を備えている。データタグ５が備えるメモリ５１上には、通信のためのプログラムに加えて、自己の電力残量を管理するためのデータとその管理プログラムが記録されている。
【００２８】
さらに、この生活情報管理システムには、ユーザ９とサーバ２との間で情報の送受信を行う第２の情報端末が備えられてもよい。
【００２９】
かかる構成の生活情報管理システムは、例えば、図９に示したような配置状態とされる。すなわち、情報端末装置１は、住宅内のリビングルーム等の居室において、ユーザ９の目に付きやすく、入力もしやすい場所に設置される。サーバ２は、例えば床下や天井など、どのような場所に設置されてもよい。また、観察機３は、各居室の天井の四隅など、居室内の全体を見渡せる場所に取り付けられる。パーソナルタグ４は、ユーザ９が所持し、常に携帯されている。データタグ５は、置いた場所や保管場所を忘れてしまいやすい財布、薬袋、及び眼鏡ケース等の物品に取り付け、さらにドアなど、行動記録に必要となるものにも取り付けておく。
【００３０】
【表１】
2004287786.tif 000003
表１は、データタグ５に設けられたメモリ５２のデータ構成例を示している。各データタグ５のタグＩＤは、メモリ上に初期データとして与えられたハードウェアに固有の値である。
【００３１】
データタグ５の電池を交換した場合、データタグ５における初期化処理として、パーソナルタグ４との通信回数ｎ（ｐ）、及び観察機３との通信回数ｎ（ｏ）がゼロに設定される。また、待機時消費電力Ｐｏｆｆ、パーソナルタグとの通信消費電力Ｐｏｎ（Ｐ）、観察機との通信消費電力Ｐｏｎ（ｏ）、及び電池最大容量Ｐｍａｘは初期設定データとして、サーバ２から、観察機３又はパーソナルタグ４を経由してデータタグ５に送られる。電池残量Ｐｒｅｓｔ、駆動時間Ｔ５は、図示しないタイマで通信時間がカウントされて、通信のたびに更新される。
【００３２】
図３は、データタグ５の動作フローチャートを示している。データタグ５は通常、パーソナルタグ４又は観察機３からの受信待ち状態である。データタグ５が、パーソナルタグ４からの信号を受信すると（ステップＳ３０１でＹｅｓと判断されると）、パーソナルタグ４との通信回数ｎ（ｐ）に１が加えられ、駆動時間Ｔ５が更新される（ステップＳ３０２）。
【００３３】
また、データタグ５が、観察機３からの信号を受信すると（ステップＳ３０３でＹｅｓと判断されると）、観察機３との通信回数ｎ（ｏ）に１が加えられ、駆動時間Ｔ５が更新される（ステップＳ３０４）。
【００３４】
続いて、データタグ５の保有データから電池残量Ｐｒｅｓｔが算出される（ステップＳ３０５）。
【００３５】
すなわち、この電池残量Ｐｒｅｓｔは、
Ｐｒｅｓｔ＝Ｐｍａｘ−（ｎ（ｐ）＊Ｐｏｎ（Ｐ）＋ｎ（ｏ）＊Ｐｏｎ（ｏ）＋Ｔ５＊Ｐｏｆｆ）
により求められる。
【００３６】
次に、このデータタグ５のタグＩＤと、算出された電池残量Ｐｒｅｓｔとが、パーソナルタグ４又は観察機３に送信され（ステップＳ３０６）、通信が完了する。
【００３７】
【表２】
2004287786.tif 000004
表２は、パーソナルタグ４に設けられたメモリ４２データ構成例を示している。各パーソナルタグ４のタグＩＤは、メモリ４２上に初期データとして与えられたハードウェアに固有の値である。
【００３８】
パーソナルタグ４の電池を交換した場合、パーソナルタグ４における初期化処理として、データタグ５との通信回数ｎ（ｄ）、観察機３との通信回数ｎ（ｏ）がゼロに設定される。また、待機時消費電力Ｐｏｆｆ、データタグ５との通信消費電力Ｐｏｎ（ｄ）、観察機３との通信消費電力Ｐｏｎ（ｏ）、電池最大容量Ｐｍａｘは、初期設定データとしてサーバ２から観察機３を経由してパーソナルタグ４に送られる。電池残量Ｐｒｅｓｔ、及び駆動時間Ｔ４は、通信のたびに更新される。
【００３９】
また、パーソナルタグ４は、データタグ５との通信履歴を残すために、図４に示すようなデータタグ情報を記録するデータシート４５を保有している。図中、記号ＤｎはデータタグＩＤを示し、データタグＩＤは初期化処理時にサーバ２から与えられる。通信の有無を示す通信チェックフラグＣｆ（Ｄｎ）や、通信時刻Ｔｃｏｍ（Ｄｎ）、及び電力残量Ｐｃｏｍ（Ｄｎ）は、対象となるデータタグ５と通信した際に更新される。
【００４０】
図５はパーソナルタグ４の動作フローチャートを示している。パーソナルタグ４は通常、通信信号を発信し続けており、データタグ５又は観察機３からの応答があるかどうかを確認している。
【００４１】
パーソナルタグ４が、データタグ５と通信を確認すると（ステップＳ５０１でＹｅｓと判断されると）、データタグ５との通信回数ｎ（ｄ）に１が加えられる（ステップＳ５０２）。
【００４２】
続いて、パーソナルタグ４は、通信の確立したデータタグ５からのタグＩＤ、電池残量Ｐｒｅｓｔを受信する（ステップＳ５０３）。そして、データシート４５上において、受信したデータタグ５のタグＩＤと合致する「Ｄｎ」のデータ行の電力残量Ｐｃｏｍ（Ｄｎ）に電池残量Ｐｒｅｓｔを代入し、通信時刻Ｔｃｏｍ（Ｄｎ）に時刻を入力するとともに、通信チェックフラグＣｆ（Ｄｎ）に１を代入する（ステップＳ５０４）。これにより、パーソナルタグ４は、通信を行ったデータタグ５のデータを記録・更新する。
【００４３】
一方、パーソナルタグ４が、観察機３との通信を確認すると（ステップＳ５０５でＹｅｓと判断されると）、観察機３との通信回数ｎ（ｏ）をインクリメントし、図示しないタイマ等によりパーソナルタグ４の駆動時間Ｔ４が更新される（ステップＳ５０６）。
【００４４】
続いて、データタグ５との通信消費電力Ｐｏｎ（ｄ）、データタグ５との通信回数ｎ（ｄ）、観察機３との通信消費電力Ｐｏｎ（ｏ）、観察機３との通信回数ｎ（ｏ）、駆動時間Ｔ４、及び待機時消費電力Ｐｏｆｆにより、パーソナルタグ４における電池残量Ｐｒｅｓｔが算出される（ステップＳ５０７）。
【００４５】
すなわち、この電池残量Ｐｒｅｓｔは、
Ｐｒｅｓｔ＝Ｐｏｎ（ｄ）＊ｎ（ｄ）＋Ｐｏｎ（ｏ）＊ｎ（ｏ）＋Ｔ４＊Ｐｏｆｆ
により求められる。
【００４６】
次に、算出された電池残量Ｐｒｅｓｔ、パーソナルタグ４のタグＩＤ、データシート４５上の通信チェックフラグＣｆ（Ｄｎ）＝１である行のタグＩＤ「Ｄｎ」、通信時刻Ｔｃｏｍ（Ｄｎ）、及び電力残量Ｐｃｏｍ（Ｄｎ）が送信される（ステップＳ５０８）。
【００４７】
続いて、送信したＤｎ＝１であった行のデータについて、通信チェックフラグＣｆ（Ｄｎ）＝０、Ｔｃｏｍ（Ｄｎ）＝ＮＵＬＬ（値なし）、Ｐｃｏｍ（Ｄｎ）＝ＮＵＬＬ（値なし）を代入する（ステップＳ５０９）。
【００４８】
以上の処理によって、パーソナルタグ４は、メモリ４２上に蓄積した自己のデータとデータタグ５のデータとを観察機３を介してサーバ２に送信する。
【００４９】
【表３】
2004287786.tif 000005
表３は、サーバ２が保有するデータ構成例を示している。
【００５０】
サーバ２が保有する各データのうち、データタグ５の電池最大容量Ｐｍａｘ（ｄ）、データタグ５の待機時消費電力Ｐｏｆｆ（ｄ）、データタグ５のパーソナルタグ４との通信消費電力Ｐｏｎ（ｄ）（ｐ）、データタグ５における観察機３との通信消費電力Ｐｏｎ（ｄ）（ｏ）、パーソナルタグ４の電池最大容量Ｐｍａｘ（ｐ）、パーソナルタグ４の待機時消費電力Ｐｏｆｆ（ｐ）、パーソナルタグ４のデータタグ５との通信消費電力Ｐｏｎ（ｐ）（ｄ）、パーソナルタグ４における観察機３との通信消費電力Ｐｏｎ（ｐ）（ｏ）、データタグ５の消費電力警告閾値Ｐｔｈ（ｄ）、及びパーソナルタグ４の消費電力警告閾値Ｐｔｈ（ｐ）は、システム初期化時にユーザ９又はシステム管理者によって設定された初期データファイルから読み込まれる。また、現時刻Ｔｎｏｗは、図示しないタイマにより常に更新されている。
【００５１】
また、サーバ２は図６に示すような、パーソナルタグ４及びデータタグ５の情報を保有するためのデータシート２５を保有している。図中、記号Ｐｎは、パーソナルタグ４のタグＩＤを示す。このデータシート２５には、パーソナルタグ４に関するタグ名称Ｎａｍｅ（Ｐｎ）、予想電力残量Ｐｒｅｓｔ（Ｐｎ）、前通信時からの経過時間Ｔｐａｓｓ（Ｐｎ）、通信時電力残量Ｐｃｏｍ（Ｐｎ）、及び通信動作時刻Ｔｃｏｍ（Ｐｎ）のデータが記録される。また、データタグ５に関しても同様のデータが記録される。
【００５２】
このデータシート２５上のデータのうち、パーソナルタグ４のタグ名称Ｎａｍｅ（Ｐｎ）、及びデータタグ５のタグ名称Ｎａｍｅ（Ｄｎ）は、ユーザ９により設定される。また、これらのタグ名称以外のデータは、観察機３を経由して得られたパーソナルタグ４のデータ、又はデータタグ５のデータによって更新される。
【００５３】
図７は、サーバ２の動作フローチャートを示している。
【００５４】
前記したように、パーソナルタグ４が観察機３と通信を行うと（ステップＳ７０１でＹｅｓと判断されると）、サーバ２は観察機３を通じてパーソナルタグ４及びデータタグ５のデータを受信する。そして、サーバ２のデータシート２５上において、受信したパーソナルタグ４のタグＩＤと合致する「Ｐｎ」のデータ行の通信動作時刻Ｔｃｏｍ（Ｐｎ）に時刻を入力し、通信時電力残量Ｐｃｏｍ（Ｐｎ）に電池残量Ｐｒｅｓｔを代入する。さらに、受信したデータタグ５のタグＩＤと合致する「Ｄｎ」のデータ行の通信動作時刻Ｔｃｏｍ（Ｄｎ）欄、及び通信時電力残量Ｐｃｏｍ（Ｄｎ）欄に受信したデータを代入する（ステップＳ７０２）。
【００５５】
次に、現時刻Ｔｎｏｗと、パーソナルタグ４の通信動作時刻Ｔｃｏｍ（Ｐｎ）との差分を、前通信時からの経過時間Ｔｐａｓｓ（Ｐｎ）に入力する。同様に、現時刻Ｔｎｏｗと、データタグ５の通信動作時刻Ｔｃｏｍ（Ｄｎ）との差分を、前通信時からの経過時間Ｔｐａｓｓ（Ｄｎ）に入力する（ステップＳ７０３）。
【００５６】
続いて、これらの前通信時からの経過時間Ｔｐａｓｓ（Ｐｎ），Ｔｐａｓｓ（Ｐｎ）を用いて、パーソナルタグ４及びデータタグ５のそれぞれににおける予想電力残量Ｐｒｅｓｔ（Ｐｎ），Ｐｒｅｓｔ（Ｄｎ）を計算する（ステップＳ７０４）。各予想電力残量Ｐｒｅｓｔ（Ｐｎ），Ｐｒｅｓｔ（Ｄｎ）は、前通信時からの経過時間Ｔｐａｓｓ（Ｐｎ），Ｔｐａｓｓ（Ｄｎ）に各タグ４，５の待機時消費電力Ｐｏｆｆ（Ｐｎ），Ｐｏｆｆ（Ｄｎ）を乗した値を、通信時電力残量Ｐｃｏｍ（Ｐｎ），Ｐｃｏｍ（Ｄｎ）から差し引いて求められる。
【００５７】
次に、パーソナルタグ４とデータタグ５に警告するための各消費電力警告閾値Ｐｔｈ（ｐ），Ｐｔｈ（ｄ）と、データシート２５上の各予想電力残量Ｐｒｅｓｔ（Ｐｎ），Ｐｒｅｓｔ（Ｄｎ）を比較して、各消費電力警告閾値Ｐｔｈ（ｄ），Ｐｔｈ（ｄ）を下回るタグＩＤ「Ｐｎ」、「Ｄｎ」があるかどうかが判定される（ステップＳ７０５）。
【００５８】
パーソナルタグ４又はデータタグ５に、該当するタグＩＤ「Ｐｎ」、「Ｄｎ」があると（ステップＳ７０５でＹｅｓと判断されると）、メッセージバッファに「Ｐｎ」、「Ｄｎ」の各タグ名称Ｎａｍｅ（Ｐｎ），Ｎａｍｅ（Ｄｎ）、及び電力残量警告メッセージが追加される（ステップＳ７０６）。
【００５９】
続いて、メッセージバッファに警告メッセージがあるかどうかが確認され（ステップＳ７）、警告メッセージがあると（ステップＳ７０７でＹｅｓと判断されると）、情報端末装置１においてメッセージを表示するように情報端末装置１にデータが送信される（ステップＳ７０８）。
【００６０】
以上の処理によって、ユーザ９の生活情報が取得されると、同時にパーソナルタグ４及びデータタグ５における各予想電力残量Ｐｒｅｓｔ（Ｐｎ），Ｐｒｅｓｔ（Ｄｎ）を管理して、これらが設定された値以下になった場合はユーザ９に対して警告を出すものとなる。ユーザ９は、情報端末装置１に表示されたメッセージを見ることで、電池交換が必要なパーソナルタグ４及びデータタグ５を認識し、適宜電池を取り替えることができる。この結果、電池切れによるユーザ９の生活情報の取りこぼしがなくなる。
【００６１】
また、データタグ５が保持するデータをユーザ９が要求したとき、あるいは定期的に要求するようにプログラムした場合には、パーソナルタグ４による各データの更新がなくてもデータタグ５の電力残量の確認をすることができる。図８は、このような場合のサーバ２における動作フローチャートを示している。
【００６２】
まず、ユーザ９あるいはプログラムによってデータタグ５に対し返信要求信号が送信される（ステップＳ８０１）。このとき、データタグ５における処理は、図３に示した動作と同様である。データタグ５からの返信を受信すると（ステップＳ８０２でＹｅｓと判断されると）、データシート２５上において、受信したデータタグ５のタグＩＤと合致するタグＩＤ「Ｄｎ」のデータ行の通信動作時刻Ｔｃｏｍ（Ｄｎ）に時刻を入力し、通信時電力残量Ｐｃｏｍ（Ｄｎ）に受信した電池残量Ｐｒｅｓｔを代入する（ステップＳ８０３〜Ｓ８０４）。以後の処理（ステップＳ８０５〜Ｓ８１０）は、前記と同様である。
【００６３】
以上説明した生活情報管理システムは、パーソナルタグ、データタグ、及び観察機とを用いて、管理対象物を管理するとともに、これらの電力残量を管理する処理を機能させるためのプログラムで実現されている。
【００６４】
本発明の対象とするものは、このようなプログラムそのものであってもよいし、このプログラムがコンピュータで読み取り可能な記録媒体に格納されているものであってもよい。
【００６５】
本発明では、この記録媒体として、図１に示されるサーバ２で処理が行われるために必要なメモリ、例えばＲＯＭのようなものそのものがプログラムメディアであってもよいし、また、図示しない外部記憶装置としてプログラム読み取り装置が設けられ、そこに記録媒体を挿入することで読み取り可能なプログラムメディアであってもよい。いずれの場合においても、格納されているプログラムはマイクロコンピュータがアクセスして実行させる構成であってもよいし、あるいはいずれの場合もプログラムを読み出し、読み出されたプログラムは、マイクロコンピュータの図示しないプログラム記憶エリアにロードされて、そのプログラムが実行される方式であってもよい。このロード用のプログラムは、あらかじめ本体装置に格納されているものとする。
【００６６】
ここで、前記のプログラムメディアは、本体と分離可能に構成される記録媒体であり、磁気テープやカセットテープ等のテープ系、ＦＤ（フレキシブルディスク）やＨＤ（ハードディスク）等の磁気ディスクや、ＣＤ−ＲＯＭ／ＭＯ／ＭＤ／ＤＶＤ等の光ディスク系、ＩＣカード（メモリカードを含む）／光カード等のカード系、あるいはマスクＲＯＭ、ＥＰＲＯＭ、ＥＥＰＲＯＭ、フラッシュＲＯＭ等による半導体メモリを含めた固定的にプログラムを担持する媒体であってもよい。
【００６７】
また、本発明においては、インターネットを含む通信ネットワークと接続可能なシステム構成である場合、通信ネットワークからプログラムをダウンロードするように流動的にプログラムを担持する媒体であってもよい。なお、このように通信ネットワークからプログラムをダウンロードする場合には、そのダウンロード用プログラムは、あらかじめ装置本体に格納しておくか、あるいは別の記録媒体からインストールされるものであってもよい。なお、この記録媒体に格納されている内容としては、プログラムに限定されず、データであってもよい。
【００６８】
さらに、本発明では、プログラム自体として、図１に示されるサーバ２で実行される処理そのものであってもよいし、又はインターネットを含む通信ネットワークとアクセスすることで取り込める、あるいは取り込めたものであってもよいし、こちらから送り出すものであってもよい。さらには、この取り込んだプログラムに基づいて、前記生活情報管理システム内で処理された結果、生成されたものであってもよいし、あるいは、こちらから送り出す際に前記生活情報管理システム内で処理された結果、生成されたものであってもよい。なお、これらのものはプログラムに限定されず、データであってもよい。
【００６９】
【発明の効果】
以上説明したように、本発明によれば、パーソナルタグ、データタグ、サーバ上に電力残量管理用のデータを保持させ、ユーザの生活情報を取得する際にその電力管理情報も通信し、蓄積することで各タグの電力残量を管理可能となり、電力残量が所定の値以下になった場合にはサーバより情報端末にメッセージを表示する命令を送信することで、ユーザは受動的に各タグの電池交換を行うタイミングを知ることができ、電池の定期交換などの負担がなくなる。
【００７０】
また、常にサーバにおいてパーソナルタグ及びデータタグの各電力容量を管理しているので、電池切れによるユーザの生活情報の取得漏れが無く、安定した情報の収集が可能となって、生活支援を十分に行うことができる。
【００７１】
さらに、ユーザの要求により、あるいは定期的に、データタグの電力残量をチェックすることで、データタグの電力残量管理の精度が向上し、安定した情報収集、及び生活支援を行うことができる。
【図面の簡単な説明】
【図１】本発明に係る生活情報管理システムの全体構成を示すブロック図である。
【図２】本発明に係る生活情報管理システムにおける各部の構成例を示す概念図である。
【図３】データタグの処理動作を示すフローチャートである。
【図４】データタグのデータシートを示す説明図である。
【図５】パーソナルタグの処理動作を示すフローチャートである。
【図６】サーバのデータシートを示す説明図である。
【図７】サーバの処理動作を示すフローチャートである。
【図８】サーバの処理動作の他の例を示すフローチャートである。
【図９】従来の生活情報管理システムの配置状態を示す説明図である。
【符号の説明】
１  情報端末装置
２  サーバ
３  観察機
４  パーソナルタグ
５  データタグ
１１，２１，３１  ＬＡＮインターフェース（ＬＡＮ＿ＩＦ）
１２，２２，３２，４２，５２  メモリ
１３，２３，３３，４３，５３  ＣＰＵ
１４  モニタ
４１，５１  電池
３４，４４，５４  赤外線通信装置
【図１】
2004287786.tif 000006
【図２】
2004287786.tif 000007
【図３】
2004287786.tif 000008
【図４】
2004287786.tif 000009
【図５】
2004287786.tif 000010
【図６】
2004287786.tif 000011
【図７】
2004287786.tif 000012
【図８】
2004287786.tif 000013
【図９】
2004287786.tif 000014